(57)【要約】【課題】ケーブル接続等の作業を必要とせず且つ簡単に、カメラで撮影された撮影画像を外部機器に送信することができるカメラを提供すること。【解決手段】画像移動表示制御部２１１は、外部機器９との間で通信が確立した場合に、表示部１５の画面上に撮影画像の縮小画像を配列して表示するとともに、この縮小画像を画面内の移動開始位置側から送信開始位置に向けて所定の移動経路に沿って移動させる。また、画像移動表示制御部２１１は、タッチパネル１６によって画面上のタッチ操作を検出した場合に、送信開始位置に到達していない縮小画像の移動を停止させる。そして、送信制御部２１３は、近接通信部１９を介し、送信開始位置に到達した縮小画像の撮影画像を外部機器９に送信する。【選択図】図８
2010045682.tif 000002
【特許請求の範囲】
【請求項１】
被写体像を撮像して撮影画像を生成するカメラであって、
画面上のタッチ位置を検出するタッチパネルを有する表示部と、
外部機器との間で近接無線通信を行う近接通信部と、
前記外部機器との間で通信が確立した場合に、前記画面上に前記撮影画像の縮小画像を配列して表示するとともに、該縮小画像を前記画面内の移動開始位置側から送信開始位置に向けて所定の移動経路に沿って移動させる画像移動表示制御部と、
前記近接通信部を介し、前記送信開始位置に到達した縮小画像の撮影画像を前記外部機器に送信する送信制御部と、
を備え、
前記画像移動表示制御部は、前記タッチパネルによって前記画面上のタッチ操作を検出した場合に、前記送信開始位置に到達していない縮小画像の移動を停止させることを特徴とするカメラ。
【請求項２】
前記画像移動表示制御部は、前記タッチパネルによって前記画面上のタッチ操作を検出した場合に、前記タッチ操作された位置よりも現在の表示位置が前記送信開始位置側の縮小画像の移動を停止させることを特徴とする請求項１に記載のカメラ。
【請求項３】
前記画像移動表示制御部は、前記タッチパネルによって前記縮小画像のスライド操作を検出した場合に、前記スライド操作された前記縮小画像よりも現在の表示位置が前記送信開始位置側の縮小画像の表示を消去することを特徴とする請求項１または２に記載のカメラ。
【請求項４】
前記画像移動表示制御部は、前記スライド操作のスライド方向が前記移動経路に沿った方向の場合に前記送信開始位置側の縮小画像の表示を消去し、前記スライド方向が前記移動経路に沿わない方向の場合には、前記スライド操作された前記縮小画像の表示を消去することを特徴とする請求項３に記載のカメラ。
【請求項５】
前記画像移動表示制御部は、前記縮小画像の移動停止中に前記タッチパネルによって前記縮小画像のスライド操作を検出した場合に、前記スライド操作された前記縮小画像および該縮小画像よりも現在の表示位置が前記移動開始位置側の縮小画像の移動を再開させることを特徴とする請求項３に記載のカメラ。
【請求項６】
被写体像を撮像して撮影画像を生成するカメラであって、
画面上のタッチ位置を検出するタッチパネルを有する表示部と、
外部機器との間で近接無線通信を行う近接通信部と、
前記外部機器との間で通信が確立した場合に、前記画面上に前記撮影画像の縮小画像を配列して表示するとともに、該縮小画像を前記画面内の移動開始位置側から送信開始位置に向けて所定の移動経路に沿って移動させる画像移動表示制御部と、
前記近接通信部を介し、前記送信開始位置に到達した縮小画像の撮影画像を前記外部機器に送信する送信制御部と、
を備え、
前記画像移動表示制御部は、前記タッチパネルによって前記画面上のタッチ操作を検出した場合に、前記送信開始位置に到達していない縮小画像の移動を停止させることを特徴とするカメラ。
【発明の詳細な説明】
【技術分野】
【０００１】
本発明は、画像を撮像するカメラに関するものである。
【背景技術】
【０００２】
近年、パソコンの普及やテレビの大画面化に伴い、デジタルカメラで撮影した撮影画像をパソコンやテレビに表示させて楽しむユーザが増えている。また、この他にも、デジタルカメラで撮影した撮影画像が蓄積されたメモリカード等の記録媒体から画像を読み出して専用の表示装置に表示するデジタルフォトフレームが実用化されている。
【０００３】
一方で、比較的小さな表示画面に多数のサムネイルを表示させるための技術が開示されている（特許文献１を参照）。この特許文献１の技術では、サムネイルを移動させ、その移動スピードやサムネイルの大きさ等を制御することによって多数のサムネイルの内容を迅速に認識できるようにしている。
【０００４】
【特許文献１】特開２００１−３１２３５４号公報
【発明の開示】
【発明が解決しようとする課題】
【０００５】
しかしながら、上記のようにカメラで撮影した撮影画像を外部機器に送信して表示させる場合には、その都度カメラを外部機器とケーブル接続する等の作業が必要であり、手間であった。また、撮影画像を取捨選択して外部機器に表示させたい場合、特許文献１の技術を適用すれば、カメラ側で多数のサムネイルを迅速に認識することができるが、結局は１枚ずつ送信する撮影画像を選択して送信指示を行わなければならず、操作が煩わしいという問題があった。
【０００６】
本発明は、上記に鑑みてなされたものであって、ケーブル接続等の作業を必要とせず且つ簡単に、カメラで撮影された撮影画像を外部機器に送信することができるカメラを提供することを目的とする。
【課題を解決するための手段】
【０００７】
上述した課題を解決し、目的を達成するため、本発明にかかるカメラは、被写体像を撮像して撮影画像を生成するカメラであって、画面上のタッチ位置を検出するタッチパネルを有する表示部と、外部機器との間で近接無線通信を行う近接通信部と、前記外部機器との間で通信が確立した場合に、前記画面上に前記撮影画像の縮小画像を配列して表示するとともに、該縮小画像を前記画面内の移動開始位置側から送信開始位置に向けて所定の移動経路に沿って移動させる画像移動表示制御部と、前記近接通信部を介し、前記送信開始位置に到達した縮小画像の撮影画像を前記外部機器に送信する送信制御部と、を備え、前記画像移動表示制御部は、前記タッチパネルによって前記画面上のタッチ操作を検出した場合に、前記送信開始位置に到達していない縮小画像の移動を停止させることを特徴とする。
【０００８】
また、本発明にかかるカメラは、上記の発明において、前記画像移動表示制御部は、前記タッチパネルによって前記画面上のタッチ操作を検出した場合に、前記タッチ操作された位置よりも現在の表示位置が前記送信開始位置側の縮小画像の移動を停止させることを特徴とする。
【０００９】
また、本発明にかかるカメラは、上記の発明において、前記画像移動表示制御部は、前記タッチパネルによって前記縮小画像のスライド操作を検出した場合に、前記スライド操作された前記縮小画像よりも現在の表示位置が前記送信開始位置側の縮小画像の表示を消去することを特徴とする。
【００１０】
また、本発明にかかるカメラは、上記の発明において、前記画像移動表示制御部は、前記スライド操作のスライド方向が前記移動経路に沿った方向の場合に前記送信開始位置側の縮小画像の表示を消去し、前記スライド方向が前記移動経路に沿わない方向の場合には、前記スライド操作された前記縮小画像の表示を消去することを特徴とする。
【００１１】
また、本発明にかかるカメラは、上記の発明において、前記画像移動表示制御部は、前記縮小画像の移動停止中に前記タッチパネルによって前記縮小画像のスライド操作を検出した場合に、前記スライド操作された前記縮小画像および該縮小画像よりも現在の表示位置が前記移動開始位置側の縮小画像の移動を再開させることを特徴とする。
【発明の効果】
【００１２】
本発明によれば、外部機器との間で通信が確立した際に、撮影画像の縮小画像を移動開始位置から送信開始位置に向けて移動表示し、送信開始位置に到達した縮小画像の撮影画像を外部機器に送信することができる。そして、画面上のタッチ操作によって送信開始位置に到達していない縮小画像の移動を停止させることができる。これによれば、ケーブル接続等の作業を必要とせず且つ簡単に、カメラで撮影された撮影画像を外部機器に送信することができるという効果を奏する。
【発明を実施するための最良の形態】
【００１３】
以下、図面を参照し、本発明のカメラを適用したデジタルカメラの好適な実施の形態について詳細に説明する。なお、この実施の形態によって本発明が限定されるものではない。また、各図面の記載において、同一部分には同一の符号を付して示している。
【００１４】
（実施の形態）
図１は、本実施の形態のデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図８を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１５、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１５】
また、表示部１５には、その画面（表示領域）全域に亘ってタッチパネル１６（図８を参照）が一体的に形成されており、このタッチパネルによって、画面上の位置を直接的に指定することができるようになっている。
【００１６】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１５に表示されるようになっている。ユーザは、グリップ部８を保持してカメラ本体３を構え、表示部１５のライブビュー画像を見ながらレリーズスイッチ５を押下して静止画や動画を撮影し、あるいは撮影した静止画や動画を表示部１５に表示（再生）して楽しむ。
【００１７】
このデジタルカメラ１は、図１に示すように、カメラ本体３のグリップ部８が形成された端部側において、パソコンや携帯電話機、テレビ等の外部機器に具備される近接通信部と近接無線通信を行うための近接通信部１９を内蔵している。なお、以下では、外部機器をノートパソコンとして例示する。
【００１８】
図３は、デジタルカメラ１と外部機器９とが通信を行う様子を側面側から示した説明図である。また、図４は、通信時のカメラ本体３の基準姿勢を示す図である。図３に示すように、デジタルカメラ１の近接通信部１９は、そのアンテナがカメラ本体３の前面側に配置されるように具備される。一方、外部機器９であるノートパソコンの近接通信部９６は、そのアンテナがキーボード面側に配置されるように設けられており、デジタルカメラ１の前面側を外部機器９のキーボード面と対向させた状態で近接通信部１９，９６を互いに通信可能圏内に近接させると、デジタルカメラ１と外部機器９との間で通信が確立する。このように、本実施の形態では、近接通信部１９の配置によって通信時のカメラ本体３の前後方向の姿勢を規定している。すなわち、図４に示すように、撮影時や再生時と同様の要領で、表示部１５を手前にしてグリップ部８を保持し、外部機器９のキーボード面に対してカメラ本体３の前面側を対向させた状態でデジタルカメラ１を外部機器９に近づけると通信が確立する一方、外部機器９のキーボード面に対してカメラ本体３の背面側を近づけても通信は確立しない。
【００１９】
また、ユーザにとっては、撮影時や再生時と同様の要領でカメラ本体３のグリップ部８を保持して外部機器９に近づければよく、デジタルカメラ１の表示部１５が見える状態で、かつ外部機器９の表示部１５も見える状態で通信が行える。これにより、通信の際、表示部１５，９２の表示によって送受信の成否や送受したデータの内容等を容易に目視確認することができる。
【００２０】
そして、デジタルカメラ１は、外部機器９との間で通信が確立すると、確立した後のカメラ本体３の変位を検出し、検出した変位をもとに、デジタルカメラ１から外部機器９へのデータの送信と外部機器から送信されたデータの受信とを切り換えて行う。具体的には、データの送信指示と受信指示とをカメラ本体３の変位の方向によって区別し、データの送信指示であればデジタルカメラ１で撮影した静止画データや動画データを外部機器９に送信する。一方、データの受信指示であれば外部機器９から送信されたコンテンツデータを受信する。図５は、外部機器９に対するデータの送信指示を説明する説明図であり、図６は、外部機器９からのデータの受信指示を説明する説明図である。
【００２１】
外部機器９に対してデータを送信したい場合には、ユーザは、図５中に矢印Ａ１１で示すように、先ずカメラ本体３を外部機器９に近づけ、通信を確立させる。図５の例では、外部機器９のキーボード面において、向かって右側端部に近接通信部９６が設けられており、このキーボード面の右側端部にカメラ本体３（詳細にはグリップ部８側の端部）を近づけると通信が確立する。続いて、図５中に矢印Ａ１３で示すように、外部機器９のキーボード面上で、その右側端部から左方向へとカメラ本体３を横に平行移動させて動かす。このようにしてカメラ本体３を平行移動させると、デジタルカメラ１から外部機器９へとデータが送信される。
【００２２】
デジタルカメラ１から外部機器９へと送信されるデータは、デジタルカメラ１に記録されている撮影データであり、例えば、デジタルカメラ１で撮影された静止画や動画（撮影画像）のデータである。このとき、撮影された全ての静止画および動画のデータを送信することとしてもよいし、これらの中からユーザが指定したデータを送信することとしてもよい。また、動画の撮影中に録音された音データ等、デジタルカメラ１で録音された音データを送信するようにしてもよい。これにより、デジタルカメラ１で撮影された撮影データを外部機器９において再生・鑑賞できるようになる。
【００２３】
ここで、外部機器９への撮影データの送信時には、さらに、表示部１５に形成されたタッチパネルのタッチ操作によって、撮影データの送信停止の指示を受け付けるようになっている。図７は、データの送信指示を検出した場合にデジタルカメラ１の表示部１５に表示される画面遷移例を示す図である。
【００２４】
送信指示を検出すると、表示部１５に送信画面が表示され、デジタルカメラ１に記録されている撮影データのサムネイルが移動表示されるようになっている。例えば、図７（ａ）に示すように、送信画面には、画面に向かって左端にトンネルを模した表示体Ｏ１が表示されており、例えばこの表示体Ｏ１の開口位置を送信開始位置とし、この送信開始位置と対向する画面の左端部を移動開始位置としている。なお、このトンネルを模した表示体Ｏ１は一例であって、必ずしも表示が必要なものではない。すなわち、送信画面上で送信開始位置を明示できるような表示であればよく、文字表示によって明示することとしても構わない。あるいは、扉を模した表示体を表示するようにしてもよい。
【００２５】
各サムネイルＳａ〜Ｓｃは、例えば、画面に向かって右方向に１列に配列されて移動開始位置から送信開始位置に向かって直線移動する。より詳細には、例えば、最新の撮影データを先頭のサムネイルＳａとし、撮影順に配列されて移動表示されるようになっている。そして、サムネイルＳａ〜Ｓｃが送信開始位置に到達すると、その撮影データが順次外部機器９に送信される。例えば、図７（ｂ）では、図７（ａ）の先頭のサムネイルＳａが送信開始位置に到達して表示体Ｏ１の管内に進入する様子を示しており、このタイミングでサムネイルＳａの撮影データが外部機器９に送信される。また、各サムネイルＳａ〜Ｓｃの移動に伴い、画面の右端からは新たな撮影データのサムネイルＳｄ，Ｓｅがその撮影順に従って順次出現する。なお、このように本実施の形態では、送信開始位置に到達したサムネイルの撮影データから順に外部機器９に送信されるので、ユーザは、送信指示の後、デジタルカメラ１と外部機器９とが通信可能なように、これらの間を近接させた状態を保つ。
【００２６】
そして、送信画面上に表示されたサムネイルをタッチ操作すると、撮影データの送信が停止される。例えば、図７（ｂ）に示す状態において、図７（ｃ）に示すようにサムネイルＳｄにタッチ操作したとする。このタッチ操作によって、サムネイルＳｄおよびこれより右方のサムネイルＳｅの移動が停止され、サムネイルＳｄの撮影データ以前に撮影された撮影データの送信が停止される。サムネイルＳｄよりも左方に位置しており、送信開始位置に未到達のサムネイルＳｂ，Ｓｃについては移動が継続され、その撮影データは、送信開始位置に到達したタイミングで順次外部機器９に送信される。
【００２７】
このように、カメラ本体３を動かして送信指示を行うと最新の撮影データから順に自動的に外部機器９に対する送信が開始される。そして、移動開始位置から送信開始位置へと移動している間は、その撮影データは外部機器９に送信されず、ユーザは、この間に送信停止を指示できる。したがって、簡単かつ直観的な操作によって撮影データの送信停止を指示できる。また、送信画面上で移動しているサムネイルの撮影データは外部機器９に送信され、停止しているサムネイルの撮影データは外部機器９に送信されないので、ユーザにとって、送信する撮影データの視認がし易い。
【００２８】
なお、図７では、送信する撮影データのサムネイルが送信画面に向かって右から左へと移動する場合を例示したが、移動経路はこれに限定されるものではない。すなわち、送信画面上に設定される所定の移動開始位置から所定の送信開始位置へと移動させ、この間にタッチ操作によって送信停止を指示できるものであればよい。例えば、弧を描くような移動経路としてもよいし、送信画面の上下方向や対角線方向を移動経路とする移動であってもよく、適宜設定できる。また、送信画面上に表示するサムネイルの数や大きさも特に限定されるものではなく、表示部１５のサイズ等に応じて適宜設定が可能である。
【００２９】
一方、外部機器９からのデータを受信したい場合には、ユーザは、図６中に矢印Ａ２１で示すように、先ずカメラ本体３を外部機器９のキーボード面の右側端部に近づけ、通信を確立させる。続いて、図６中に矢印Ａ２３で示すように、外部機器９のキーボード面上で、その右側端部から右方向へとカメラ本体３を横に平行移動させて動かす。このようにしてカメラ本体３を平行移動させると、外部機器９へとデータの送信要求が送信される。そして、外部機器９からデジタルカメラ１へとデータが送信され、デジタルカメラ１は、この外部機器９から送信されたデータを受信する。
【００３０】
外部機器９からデジタルカメラ１へと送信されるデータは、外部機器９に記録されているデータであり、外部機器９がインターネットに接続してダウンロードしたコンテンツデータが含まれる。これにより、デジタルカメラ１を携帯するユーザが必要とするデータ、例えばデジタルカメラ１の撮影マニュアルや外出先の地図といったデータを受信することができ、受信したデータをデジタルカメラ１で閲覧できるようになる。あるいは、コンテンツデータとして音楽コンテンツを受信することとしてもよい。これにより、デジタルカメラ１において、例えば撮影した静止画や動画を再生する際に音楽コンテンツをＢＧＭとして再生するといったことが可能となる。
【００３１】
図８は、デジタルカメラ１および外部機器９の主要内部構成の一例を示すブロック図である。図８に示すように、デジタルカメラ１は、撮像部１１、画像処理部１２、変位検出部１３、操作部１４、表示部１５、タッチパネル１６、記録部１７、時計部１８、近接通信部１９、制御部２１等を備える。
【００３２】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００３３】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００３４】
変位検出部１３は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００３５】
図９は、変位検出部１３によるカメラ本体３の変位検出を説明するための図である。図９に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。変位検出部１３は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１３は、加速度センサの検出結果をもとにカメラ本体３の移動量を検出するとともに、角速度センサの検出結果をもとにカメラ本体３の回転量を検出し、カメラ本体３の変位として検出する。本実施の形態では、図９中に矢印Ａ３で示すカメラ本体３のＸ軸方向に対する変位の方向から、図５に示したカメラ本体３の右から左へと平行移動された変位および図６に示したカメラ本体３の左から右へと平行移動された変位を検出する。
【００３６】
図１０，図１１−１〜３は、加速度センサを用いたカメラ本体３の移動量の検出原理の一例を説明する図である。図１０に示すように、加速度センサは、チップ表面に固定された固定電極２２１，２２３と、この固定電極２２１，２２３上に架橋され、加速度に起因して矢印Ａ４の方向に移動する可動電極２２５とを有する。そして、固定電極２２１と可動電極２２５との間の静電容量の変化および固定電極２２３と可動電極２２５との間の静電容量の変化を検出して加速度を検出する。この加速度センサの出力（図１１−１）を積分することで速度が得られ（図１１−２）、さらに積分することで移動量が得られる（図１１−３）。また、図１２，図１３は、角速度センサを用いたカメラ本体３の回転量の検出原理の一例を説明する図である。図１２に示すように、角速度センサは、圧電セラミック素子が形成された一対の振動体２３１，２３３を有し、この振動体２３１，２３３を図１２中に示す振動方向に振動させた状態で、コリオリ力を利用して角速度を検出するものである。そして、この角速度センサの出力を積分することで回転量が得られる（図１３）。
【００３７】
図８に示す操作部１４は、撮影の開始指示、静止画撮影や動画撮影等の撮影モード、再生モード、通信モードといったモードの選択操作、撮影条件の設定操作等、ユーザによる各種操作を受け付けて操作信号を制御部２１に通知するためのものである。この操作部１４は、図１のレリーズスイッチ５やボタンスイッチ７を含む。
【００３８】
表示部１５は、撮影された静止画や動画、ライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影された静止画や動画が表示される。
【００３９】
また、デジタルカメラ１は、操作部１４とは別に、表示部１５の画面上に形成され、手指や専用のスタイラスペン等によるタッチ操作によって各種の操作入力を行うタッチパネル１６を備える。このタッチパネル１６は、感圧式や光学式、静電容量式、電磁誘導式等の検出原理によってタッチ操作位置を例えば画面を構成するドット単位で検出するものであり、タッチ操作された表示部１５上の位置を感知し、タッチ操作位置の位置座標を検出して制御部２１に出力する。
【００４０】
図１４および図１５は、タッチパネル１６の検出原理の一例を説明する図である。図１４に示すように、タッチパネル１６は、それぞれ帯状の透明抵抗膜１６２，１６４が形成された２枚の透明フィルム１６１，１６３を有しており、その透明抵抗膜１６２，１６４が互いに直交するように透明フィルム１６１，１６３が対向配置されて構成されている。そして、図１５に示すように、タッチパネル１６が押圧（タッチ）されて透明抵抗膜１６２，１６４が接触するとこれらの間が導通するようになっており、この導通位置をタッチ操作位置として検出する。
【００４１】
記録部１７は、デジタルカメラ１を動作させ、このデジタルカメラ１が備える種々の機能を実現するための各種のカメラプログラムや、このカメラプログラムの実行中に使用されるデータ等を記録しておくためのものであり、撮影された静止画データ、動画データ、音データ等の撮影データや、外部機器９から受信したコンテンツデータ等を記録しておくためのものである。この記録部１７は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００４２】
時計部１８は、日付および時刻を計時するためのものである。この時計部１８が計時する現在時刻によって、静止画や動画の撮影日および撮影時刻が特定され、撮影された静止画や動画は、撮影日および撮影時刻とともに記録部１７に記録されるようになっている。
【００４３】
近接通信部１９は、外部機器９との間で近接無線通信を行うためのものであり、アンテナによって外部機器９の近接通信部９６との間で電波信号を送受信し、受信信号を復調処理するとともに、送信信号を変調処理する送受信回路等で構成される。この近接通信部１９は、アンテナに生じた電磁誘導によって、停止状態または待機状態にある制御部２１を起動する起動部２０を備えている。
【００４４】
制御部２１は、ＣＰＵ等で実現され、操作部１４からの操作信号等に応じて記録部１７からカメラプログラムを読み出して実行し、デジタルカメラ１を構成する各部に対する指示やデータの転送等を行ってデジタルカメラ１の動作を統括的に制御する。この制御部２１は、画像移動表示制御部２１１と、送信制御部２１３とを含み、上記したカメラプログラムは、制御部２１を画像移動表示制御部２１１および送信制御部２１３として機能させるためのプログラムを含む。画像移動表示制御部２１１は、外部機器９との間で通信が確立した場合に、記録部１７に記録されている撮影データをサムネイル表示した送信画面を表示部１５に表示し、各サムネイルを送信画面内の移動開始位置から送信開始位置まで順次移動させる処理を行う。そして、画像移動表示制御部２１１は、タッチパネル１６が送信画面上のタッチ操作を検出した際に、そのタッチ操作位置をもとにサムネイルの移動を停止させる。送信制御部２１３は、画像移動表示制御部２１１の制御によって送信開始位置に到達したサムネイルの撮影データを外部機器９に送信する処理を行う。
【００４５】
一方、外部機器９は、図８に示すように、操作部９１、表示部９２、通信部９３、放送受信部９４、記録部９５、近接通信部９６、制御部９７等を備える。
【００４６】
操作部９１は、例えば、キーボードやマウス、リモコン、タッチパネル、各種スイッチ等の各種入力装置によって実現されるものであり、操作入力に応じた操作信号を制御部９７に出力する。テレビを視聴する場合には、操作部９１によってチャンネルの選択、音量の増減等の各種操作を入力する。表示部９２は、ＬＣＤやＥＬディスプレイ等の表示装置によって実現されるものであり、制御部９７から入力される表示信号に基づいて各種画面を表示する。
【００４７】
通信部９３は、インターネットへの接続等の処理を行うためのものであり、ネットワークＮを介して接続される他の装置との間でデータ通信を行う。ここで、ネットワークＮは、例えば、インターネットおよびインターネットに接続するための回線やＩＳＰサーバ等のことであり、各種通信回線と、それらを接続するインターネットプロバイダ等を含む。
【００４８】
放送受信部９４は、放送局から送出される放送番組の放送波を受信するためのものである。この放送受信部９４は、アンテナやチューナ等で構成され、アンテナによって受信された放送信号の中から選択されたチャンネルの信号を選局し、復調処理等の信号処理を行って放送番組の映像データおよび音データを制御部９７に出力する。
【００４９】
記録部９５は、外部機器９を動作させ、この外部機器９が備える種々の機能を実現するためのプログラムや、このプログラムの実行中に使用されるデータ等を記録しておくためのものであり、インターネットに接続する等して取得したコンテンツデータ、デジタルカメラ１から受信した静止画データや動画データ等を記録しておくためのものである。この記録部９５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００５０】
近接通信部９６は、デジタルカメラ１との間で近接無線通信を行うためのものであり、アンテナによってデジタルカメラ９の近接通信部１９との間で電波信号を送受信し、受信信号を復調処理するとともに、送信信号を変調処理する送受信回路等を備える。この近接通信部９６からは、その存在を報知する通信信号が定期的に送出されるようになっている。通信信号は、デジタルカメラ１の電源を投入するためのものである。ノートパソコン等を想定している外部機器９では、ＡＣ電源アダプタが利用でき、また充電池の充電容量が大きく、デジタルカメラ１と比較して電源的に有利である。このため、本実施の形態では、外部機器９から通信信号を定期的に送出することでデジタルカメラ１を自動的に電源投入できるようにしている。
【００５１】
制御部９７は、ＣＰＵ等で実現され、操作部９１から入力される操作信号、記録部９５に記録されるプログラムやデータ等に基づいて外部機器９を構成する各部への指示やデータの転送等を行い、外部機器９の動作を統括的に制御する。例えば、制御部９７は、デジタルカメラ１との間で通信が確立した後、デジタルカメラ１から送信される撮影データ（静止画データや動画データ、音データ）を受信する処理を行い、あるいはデジタルカメラ１に対して記録部９５に記録されたコンテンツデータを送信する処理を行う。また、制御部９７は、放送受信部９４から入力された映像データの表示処理や、インターネットに接続して取得したコンテンツデータに基づく再生表示処理、デジタルカメラ１から送信された静止画データや動画データの再生表示処理を行う。また、制御部９７は、放送受信部９４から入力された音データの出力処理や、インターネットに接続して取得したコンテンツデータに基づく音の再生処理、デジタルカメラ１から送信された音データの再生処理を行い、図示しないスピーカから出力させる。
【００５２】
次に、デジタルカメラ１が行う処理手順について説明する。本実施の形態のデジタルカメラ１は、電源が遮断された状態であっても、外部機器９から送出されている通信信号によって自動的に電源を投入し、データの送受信処理を開始するようになっている。図１６は、送受信処理の手順を示すフローチャートである。
【００５３】
図１６に示すように、デジタルカメラ１の近接通信部１９が外部機器９の近接通信部９６の通信可能圏内に近接されると、近接通信部９６が定期的に送出している通信信号の受信によって近接通信部１９のアンテナに電磁誘導が生じ、外部機器９との間で通信が確立する（ステップａ１）。詳細にはこのとき、近接通信部１９の起動部２０が、アンテナに生じた電磁誘導によって制御部２１を起動し、デジタルカメラ１の電源がＯＮされる（ステップａ３）。
【００５４】
このようにしてデジタルカメラ１の電源がＯＮされると、続いて制御部２１は、変位検出部１３を起動してカメラ本体３の変位を検出させる（ステップａ５）。そして、制御部２１は、変位検出部１３による変位検出の結果をもとに、データの送信指示および受信指示を検出する。そして、送信指示があった場合、すなわち図５に示したカメラ本体３の右から左へと平行移動された変位を検出した場合には（ステップａ７：Ｙｅｓ）、データ送信処理に移り（ステップａ９）、このデータ送信処理の後ステップａ１５に移行する。
【００５５】
一方、受信指示があった場合、すなわち図６に示したカメラ本体３の左から右へと平行移動された変位を検出した場合には（ステップａ１１：Ｙｅｓ）、データ受信処理に移り（ステップａ１３）、このデータ受信処理の後ステップａ１５に移行する。また、データの送信指示が検出されず（ステップａ７：Ｎｏ）、受信指示も検出されない場合にも（ステップａ１１：Ｎｏ）、ステップａ１５に移行する。
【００５６】
すなわち、ステップａ１５では、制御部２１は、変位検出部１３および近接通信部１９を停止状態にし、本処理を終える。
【００５７】
ここで、データ送信処理およびデータ受信処理について説明する。図１７は、データ送信処理の手順を示すフローチャートであり、図１８は、データ受信処理の手順を示すフローチャートである。
【００５８】
図１７に示すように、データ送信処理では、先ず送信制御部２１３が、近接通信部１９による受信を禁止する（ステップｂ１）。そして、送信制御部２１３は、近接通信部１９を介し、外部機器９に対して受信依頼信号の送信処理を行う（ステップｂ３）。なお、この受信依頼信号を受信した外部機器９は、受信モードとなる（図２０のステップｅ５（ＹＥＳ）〜ステップｅ８を参照）。
【００５９】
続いて、送信制御部２１３は、送信対象の撮影データの有無を判定する。例えば、既に外部機器９に送信された撮影データを記録しておき、未送信の撮影データを送信対象としてその有無を判定する。そして、送信制御部２１３は、送信対象の撮影データがない場合には（ステップｂ５：Ｎｏ）、その旨のメッセージを表示部１５に表示する警告表示処理を行って（ステップｂ７）、図１６のステップａ９にリターンする。
【００６０】
一方、送信対象の撮影データがある場合には（ステップｂ５：Ｙｅｓ）、画像移動表示制御部２１１が、所定の移動開始位置を先頭にして送信対象の撮影データのサムネイルを配列させた送信画面（図７を参照）を表示部１５に表示する処理を行う（ステップｂ９）。続いて画像移動表示制御部２１１は、表示更新タイミングを判定し、表示更新タイミングであれば（ステップｂ１１：Ｙｅｓ）、送信画面に配列させたサムネイルを所定の送信開始位置に向けて所定量移動させて表示更新する処理を行う（ステップｂ１３）。
【００６１】
また、画像移動表示制御部２１１は、タッチパネル１６からの出力によってタッチ操作の有無を判定し、タッチ操作があった場合には（ステップｂ１７：Ｙｅｓ）、そのタッチ操作位置よりも移動開始位置側のサムネイルの移動を停止させるとともに、停止させたサムネイルの撮影データを送信対象から外す（ステップｂ１９）。より詳細には、送信対象から外す撮影データには、停止させたサムネイルの撮影データよりも撮影順が古く未だ送信画面においてサムネイル表示されていないものも含む。すなわち、送信対象の撮影データのうちの、タッチ操作位置よりも送信開始位置側のサムネイルの撮影データ以外の撮影データを送信対象から外すようにする。
【００６２】
また、画像移動表示制御部２１１は、受信開始位置に到達したサムネイルの有無を判定し、到達したサムネイルがなければ（ステップｂ２１：Ｎｏ）、ステップｂ１１に戻る。そして、到達したサムネイルがある場合には（ステップｂ２１：Ｙｅｓ）、送信制御部２１３が、この到達したサムネイルの撮影データを外部機器９に送信する処理を行う（ステップｂ２３）。送信制御部２１３が撮影データの送信を終えると、画像移動表示制御部２１１は、ステップｂ２３で送信した撮影データを送信済みとし、そのサムネイル表示を消去する（ステップｂ２５）。
【００６３】
そして、画像移動表示制御部２１１は、送信対象の撮影データを全て送信したか否かを判定し、送信していなければ（ステップｂ２７：Ｎｏ）、ステップｂ１１に戻る。送信対象の撮影データを全て送信した場合には（ステップｂ２７：Ｙｅｓ）、図１６のステップａ９にリターンする。
【００６４】
また、図１８に示すように、データ受信処理では、先ず制御部２１が、近接通信部１９による送信を禁止する（ステップｃ１）。そして、制御部２１は、近接通信部１９を介し、外部機器９に対して送信依頼信号を送信する（ステップｃ３）。なお、この送信依頼信号を受信した外部機器９は、送信モードとなってコンテンツデータの送信を行う（図２０のステップｅ９〜ステップｅ１１を参照）。そして、制御部２１は、近接通信部１９を介して外部機器９から送信されるデータ（コンテンツデータ）の受信処理を行う。データの受信に成功した場合には（ステップｃ７：Ｙｅｓ）、制御部２１は、受信したデータを記録部１７に記録する処理を行い（ステップｃ９）、図１６のステップａ１３にリターンする。なお、このとき、受信したコンテンツデータを表示部１５に表示させるようにしてもよい。
【００６５】
一方、データの受信に失敗したならば（ステップｃ７：Ｎｏ）、制御部２１は、警告表示処理を行い（ステップｃ１１）、図１６のステップａ１３にリターンする。具体的には、制御部２１は、通信に失敗した場合の他、外部機器９からコンテンツデータが送信されない等の事態が生じた場合に、その旨のメッセージを表示部１５に表示する処理を行なう。
【００６６】
次に、電源投入時のデジタルカメラ１の基本処理の手順について説明する。図１９は、デジタルカメラ１が行う基本処理の手順を示すフローチャートである。電源投入時、デジタルカメラ１は、ユーザ操作によって選択されるモードに応じた処理を行う。すなわち、現在選択されているモードが撮影モードの場合には（ステップｄ１：Ｙｅｓ）、制御部２１は、撮像部１１を起動して画像を取り込み（ステップｄ３）、取り込んだ画像をライブビュー画像として表示部１５に表示する処理を行う（ステップｄ５）。そして、撮影指示がない間は（ステップｄ７：Ｎｏ）、ステップｄ３に戻って処理を繰り返し、ライブビュー画像を１フレーム毎に更新表示させる。そして、レリーズスイッチ５が押下されて撮影が指示された場合には（ステップｄ７：Ｙｅｓ）、静止画または動画の撮影処理を行う（ステップｄ９）。すなわち、静止画撮影を行う場合には１回の撮影処理を行い、１枚の静止画データを生成して記録部１７に記録する。一方、動画撮影を行う場合であれば、静止画データを連続的に生成して動画データとして記録部１７に記録する。そして、制御部２１は、撮影された静止画データまたは動画データの記録を終えると（ステップｄ１１：Ｙｅｓ）、ステップｄ４５に移行する。なお、動画撮影時において、図示しないマイクによって集音される音声等の音の録音処理を行い、音データを生成して動画データと併せて記録することとしてもよい。
【００６７】
一方、現在のモードが撮影モードではなく（ステップｄ１：Ｎｏ）、再生モードの場合には（ステップｄ１３：Ｙｅｓ）、制御部２１は、記録部１７に記録されている撮影データを順次読み出して再生処理を行う（ステップｄ１５）。このとき、過去に静止画撮影された静止画データや動画撮影された動画データを先ずサムネイル形式で一覧表示させることとしてもよい。そして、一覧の中から選択されたものを再生表示することとしてもよい。また、動画を再生する際に、動画データと併せて記録されている音データを、図示しないスピーカから音出力するようにしてもよい。
【００６８】
この再生モード中にデジタルカメラ１と外部機器９との間で通信が確立すると（ステップｄ１７：Ｙｅｓ）、制御部２１が、変位検出部１３を起動してカメラ本体３の変位を検出させる（ステップｄ１９）。そして、制御部２１は、変位検出部１３による変位検出の結果をもとに、データの送信指示を検出する。そして、送信指示があった場合、すなわち図５に示したカメラ本体３の右から左へと平行移動された変位を検出した場合には（ステップｄ２１：Ｙｅｓ）、データ送信処理に移る（ステップｄ２３）。このデータ送信処理は、図１７に示した処理手順と同様にして行われる。なお、ここでのデータ送信処理では、例えば、再生中の撮影データを外部機器９に対して送信する。そして、制御部２１が、変位検出部１３および近接通信部１９を停止状態にし（ステップｄ２５）、ステップｄ４５に移行する。
【００６９】
このように、再生モードでは、検出したカメラ本体３の変位が右から左へと平行移動された変位ではない場合や、カメラ本体３が動かされない場合には、データの送信を行わない。すなわち、再生モードでは、送信指示のみを受け付けて、送信指示があった場合にのみデータの送信を許可することができる。
【００７０】
また、現在のモードが再生モードではなく（ステップｄ１３：Ｎｏ）、通信モードの場合には（ステップｄ２７：Ｙｅｓ）、制御部２１は、近接通信部１９を起動する（ステップｄ２９）。そして、デジタルカメラ１と外部機器９との間で通信が確立すると（ステップｄ３１：Ｙｅｓ）、制御部２１は、変位検出部１３を起動してカメラ本体３の変位を検出させる（ステップｄ３３）。そして、制御部２１は、変位検出部１３による変位検出の結果をもとに、データの送信指示および受信指示を検出する。そして、送信指示があった場合、すなわち図５に示したカメラ本体３の右から左へと平行移動された変位を検出した場合には（ステップｄ３５：Ｙｅｓ）、データ送信処理に移り（ステップｄ３７）、このデータ送信処理の後ステップｄ４３に移行する。ステップｄ３７のデータ送信処理は、図１７に示した処理手順と同様にして行われる。
【００７１】
一方、受信指示があった場合、すなわち図６に示したカメラ本体３の左から右へと平行移動された変位を検出した場合には（ステップｄ３９：Ｙｅｓ）、データ受信処理に移り（ステップｄ４１）、このデータ受信処理の後ステップｄ４３に移行する。ステップｄ４１のデータ受信処理は、図１８に示した処理手順と同様にして行われる。また、データの送信指示が検出されず（ステップｄ３５：Ｎｏ）、受信指示も検出されない場合にも（ステップｄ３９：Ｎｏ）、ステップｄ４３に移行する。
【００７２】
すなわち、ステップｄ４３では、制御部２１は、変位検出部１３および近接通信部１９を停止状態にし、ステップｄ４５に移行する。
【００７３】
そして、ステップｄ４５では、基本処理を終了するか否かを判定する。例えば、ボタンスイッチ７の操作によって電源ＯＦＦが指示された場合に、本処理を終える（ステップｄ４５：Ｙｅｓ）。一方、終了しない場合には（ステップｄ４５：Ｎｏ）、ステップｄ１に戻る。
【００７４】
次に、外部機器９が行う処理手順について説明する。図２０は、外部機器９が行う基本処理の手順を示すフローチャートである。ここで、外部機器９は、電源が投入されていることを前提としている。
【００７５】
図２０に示すように、先ず制御部９７が、近接通信部９６による定期的な通信信号の送出処理を開始する（ステップｅ１）。そして、デジタルカメラ１と外部機器９との間で通信が確立すると（ステップｅ３：Ｙｅｓ）、続いて受信する信号に応じて処理を分岐する。すなわち、デジタルカメラ１から受信依頼信号を受信した場合には（ステップｅ５：Ｙｅｓ）、制御部９７は、受信モードとなって近接通信部９６を介してデジタルカメラ１から送信される撮影データ（静止画データや動画データ、音データ）の受信処理を行う（ステップｅ７）。そして、制御部９７は、受信したデータを記録部９５に記録して（ステップｅ８）、ステップｅ２９に移行する。なお、このとき、受信したデータを表示部９２に表示させるようにしてもよい。
【００７６】
一方、送信依頼信号を受信した場合には（ステップｅ９：Ｙｅｓ）、制御部９７は、送信モードとなって近接通信部９６を介し、記録部９５に記録されているコンテンツデータの全部または一部を外部機器９に送信する処理を行う（ステップｅ１１）。例えば、予めユーザによるコンテンツの選択操作を受け付けて、選択されたコンテンツデータを送信するようにしてもよい。そして、コンテンツデータの送信を終えると、ステップｅ２９に移行する。
【００７７】
一方、ユーザ操作によってテレビの視聴が指示された場合には（ステップｅ１３：Ｙｅｓ）、制御部９７は、ユーザが選択したチャンネルの放送番組を出力するための処理を行う（ステップｅ１５）。テレビの視聴終了が指示された場合には、ステップｅ２９に移行する。また、ユーザ操作によってインターネットの接続指示が入力された場合には（ステップｅ１７：Ｙｅｓ）、制御部９７は、ネットワークＮを介してユーザが指定したサイトに接続するための処理を行う（ステップｅ１９）。インターネットへの接続の切断が指示された場合には、ステップｅ２９に移行する。
【００７８】
また、ユーザ操作によってコンテンツの記録指示が入力された場合には（ステップｅ２１：Ｙｅｓ）、ユーザが指定したコンテンツデータを記録部９５に記録する処理を行う（ステップｅ２３）。ここで記録されるコンテンツデータは、例えば、ステップｅ１９で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部９５に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｅ２９に移行する。
【００７９】
また、ユーザ操作によってコンテンツデータの再生指示が入力された場合には（ステップｅ２５：Ｙｅｓ）、ユーザが指定したコンテンツデータを記録部９５から読み出して再生する処理を行う（ステップｅ２７）。ここで再生されるコンテンツデータは、インターネットに接続等してダウンロードし、ステップｅ２３で記録部９５に記録したコンテンツデータの他、ステップｅ５〜ステップｅ８で受信し記録部９５に記録したデジタルカメラ１の撮影データ（静止画データや動画データ、音データ）が含まれる。コンテンツデータの再生終了が指示された場合には、ステップｅ２９に移行する。
【００８０】
そして、ステップｅ２９では、基本処理を終了するか否かを判定し、終了する場合には（ステップｅ２９：Ｙｅｓ）、本処理を終える。一方、終了しない場合には（ステップｅ２９：Ｎｏ）、ステップｅ３に戻る。
【００８１】
以上説明したように、本実施の形態によれば、撮影データの送信時に送信対象の撮影データを表示部１５にサムネイル表示し、各サムネイルを移動開始位置から送信開始位置に向けて順次移動表示することができる。そして、送信画面上のタッチ操作に応じてサムネイルの移動を停止させることで、その撮影データの送信を停止することができる。したがって、ケーブル接続等の作業を必要とせず、簡単且つ直感的な操作で外部機器９に対するデータの送信を停止することができる。また、ユーザのタッチ操作に応じて撮影データの送信を停止できるので、データ送信に要するデジタルカメラ１の電力の消費を必要最低限に低減できる。
【００８２】
ここで、近接通信部１９，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている静止画データ、動画データ、音データ等の撮影データの全部または一部を瞬時に外部機器９に送信することができる。
【００８３】
以上、この発明の好適な実施の形態について説明したが、この発明は、上記したものに限定されず、発明の趣旨を逸脱しない範囲で適宜変更が可能である。
【００８４】
（変形例１）
図２１〜図２３は、変形例１においてデジタルカメラ１の表示部１５に表示される画面遷移例を示す図である。図２１（ａ）に示すように、外部機器９に対するデータの送信時、表示部１５には送信画面が表示される。この送信画面には、上記した実施の形態と同様に、送信対象の撮影画像のサムネイルＳｆ〜Ｓｋが送信画面内の所定の移動開始位置から送信開始位置へと移動表示され、送信開始位置（表示体Ｏ１の開口位置）に到達したものから順番にその撮影データが外部機器９に送信される。そして、図２１（ｂ）に示すように、例えばサムネイルＳｈをタッチ操作すると、このサムネイルＳｈより右方のサムネイルＳｉ〜Ｓｋの移動が停止し、その撮影データ以前に撮影された撮影データの送信が停止される。
【００８５】
そして、変形例１では、外部機器９への撮影データの送信時において、送信画面のスライド操作によって、送信対象の撮影データの指示を受け付ける。例えば、図２２（ａ）に示す状態で、例えば図２２（ｂ）に示すように、送信画面のサムネイルＳｈをタッチし、タッチしたままで移動方向に沿ってスライド操作（ドラッグ）したとする。この場合には、サムネイルＳｈ以降の撮影データが送信対象とされ、このサムネイルＳｈを先頭とした移動が再開される。
【００８６】
あるいは、移動中のサムネイルに対するスライド操作によって、そのサムネイルよりも左方のサムネイルの撮影データを送信対象から除外する。例えば、図２３（ａ）に示す移動中のサムネイルＳｏに対してスライド操作したとする。この場合には、図２３（ｂ）に示すように、サムネイルＳｏよりも左方のサムネイルＳｌ，Ｓｍ，Ｓｎが移動経路上から脱落し、送信画面下方に消失する演出表示が行われる。これらのサムネイルＳｌ，Ｓｍ，Ｓｎは送信開始位置には到達せず、その撮影データは外部機器９に送信されない。そして、図２３（ｃ）に示すように、サムネイルＳｏおよびこれ以降のサムネイルの移動が再開する。
【００８７】
このように、変形例１では、停止中のサムネイルに対するスライド操作によってサムネイルの移動を再開させるとともに、送信開始位置とスライド操作されたサムネイルとの間に位置するサムネイルの撮影データを送信対象から除外することができる。なお、図２２では、停止している最先のサムネイルＳｈがスライド操作された場合について例示したが、後順の例えばサムネイルＳｊがスライド操作された場合には、図２３の例と同様にしてこのサムネイルＳｊよりも左方のサムネイルＳｈ，Ｓｉについての送信は行われない。また、ここでは、送信指示を検出した際に自動的にサムネイルの移動を開始することとしたが、先ず停止状態でサムネイルの表示を行い、スライド操作に応じてサムネイルの移動を手動で開始するようにしてもよい。
【００８８】
ここで想定しているのは例えば、送信画面上に外部機器９に送信したくない撮影データのサムネイルが出現した場合である。すなわち、図２２において、サムネイルＳｈ，Ｓｉの撮影データを外部機器９に送信したくない場合、一旦サムネイルＳｈにタッチ操作して移動を停止させ、後順のサムネイルＳｊをスライド操作することでサムネイルＳｈ，Ｓｉの撮影データを送信対象から外すことができる。あるいは、図２３の例では、サムネイルＳｌ，Ｓｍ，Ｓｎの撮影データを外部機器９に送信したくない場合に、これらのサムネイルＳｌ，Ｓｍ，Ｓｎが送信開始位置に到着するまでの間に後順のサムネイルＳｏをスライド操作することで、サムネイルＳｌ，Ｓｍ，Ｓｎの撮影データを送信対象から外すことができる。したがって、送信する必要のない撮影データが複数連続する場合であっても、１回の操作でより簡単に且つ直感的な操作で所望の撮影データの外部機器９への送信を行える。
【００８９】
図２４は、変形例１のデジタルカメラが行うデータ送信処理の手順を示すフローチャートである。なお、図２４において、図１７と同様の処理工程には同一の符号を付している。
【００９０】
図２４に示すように、データ送信処理では、ステップｂ１７またはステップｂ１９の後、画像移動表示制御部がタッチパネル１６からの出力によってスライド操作の有無を判定し、スライド操作があった場合には（ステップｆ２０：Ｙｅｓ）、画像移動表示制御部が、送信対象再設定処理を行う（ステップｆ２１）。図２５は、送信対象再設定処理の処理手順を示すフローチャートである。
【００９１】
この送信対象再設定処理では、画像移動表示制御部は先ず、続いてスライド操作されたサムネイルよりも送信開始位置側のサムネイルの有無を判定する。そして、画像移動表示制御部は、送信開始位置側のサムネイルがある場合には（ステップｇ１：Ｙｅｓ）、あると判定された送信開始位置側のサムネイルの撮影データを非送信に設定し、非送信の撮影データを除く未送信の撮影データを送信対象として再設定する（ステップｇ３）。その後、図２４のステップｆ２１にリターンする。一方、送信開始位置側にサムネイルがなければ（ステップｇ１：Ｎｏ）、画像移動表示制御部は、非送信として設定されている撮影データを除く未送信の撮影データを全て送信対象として再設定し（ステップｇ５）、図２４のステップｆ２１にリターンする。
【００９２】
そして、図２４に示すように、データ送信処理では、送信対象の撮影データを全て送信した後で（ステップｂ２７：Ｙｅｓ）、未送信の撮影データの有無を判定する。そして、未送信の撮影データがなければ（ステップｆ２９：Ｙｅｓ）、データ送信処理を終える。一方、未送信の撮影データがある場合には（ステップｆ２９：Ｎｏ）、タッチパネル１６からの出力によってスライド操作の有無を判定する。スライド操作がない場合には（ステップｆ３１：Ｙｅｓ）、終了判定を行う。例えば、ユーザ操作によって送信処理の終了が指示された場合には（ステップｆ３３：Ｙｅｓ）、データ送信処理を終える。一方、終了しない場合には（ステップｆ３３：Ｎｏ）、ステップｆ３１に戻ってスライド操作または終了指示があるまで待機状態となる。すなわち、送信画面上でサムネイルが停止した状態である（例えば図２１（ｂ）を参照。）。そして、スライド操作があった場合には（ステップｆ３１：Ｙｅｓ）、ステップｆ２１に移行する。この結果、上記した送信対象再設定処理によって送信対象が再設定され、送信画面上のサムネイルの移動が開始することとなる。
【００９３】
（変形例２）
図２６は、変形例２においてデジタルカメラ１の表示部１５に表示される画面遷移例を示す図である。例えば、図２６（ａ）に示すように、サムネイルＳｐを下方にスライド操作したとする。この場合には、このサムネイルＳｐの撮影データを送信対象から除外する。このとき、図２６（ｂ）に示すように、サムネイルＳｐが移動経路上から脱落し、送信画面下方に消失する演出表示が行われる。したがって、サムネイルＳｐは送信開始位置には到達せず、その撮影データは外部機器９に送信されない。
【００９４】
また、図示しないが、送信画面のタッチ操作があれば、上記した実施の形態と同様の処理を行って撮影データの送信を停止し、移動経路に沿ったスライド操作があれば、変形例１と同様の処理を行って送信対象の再設定を行う。したがって、サムネイルに対するスライド操作がされた場合に、そのスライド方向に応じて送信対象の撮影データを再設定することができる。したがって、外部機器９に対して送信するものと送信しないものとが混在している場合であっても、より簡単に且つ直感的な操作で外部機器９に送信する撮影データ取捨選択することができる。
【００９５】
図２７は、変形例２のデジタルカメラにおいて、タッチパネル１６からの出力によってスライド操作があったと判定した場合に送信制御部が行う送信対象再設定処理の手順を示すフローチャートである。なお、図２７において、図２５と同様の処理工程には同一の符号を付している。
【００９６】
図２７に示すように、変形例２の送信対象再設定処理では、送信制御部は先ず、スライド方向を判定する。そして、移動経路に沿ったスライド操作であれば（ステップｈ１：Ｙｅｓ）、ステップｇ１に移行する。一方、移動経路から外れたスライド方向へのスライド操作であれば、未送信の撮影データのうち、スライド操作されたサムネイルの表示を消去してその撮影データを非送信とする（ステップｈ３）。これによって送信対象の撮影データを再設定し、送信対象再設定処理を終える。
【００９７】
（変形例３）
図２８は、変形例３のデジタルカメラ１ａの主要内部構成の一例を示すブロック図である。また、図２９は、このデジタルカメラ１ａと外部機器９とが通信を行う様子を側面側から示した説明図である。なお、図２８および図２９において、上記した実施の形態と同様の構成には同一の符号を付している。
【００９８】
図２８に示すように、変形例３のデジタルカメラ１ａは、例えば重力センサ等で実現され、カメラ本体３の姿勢を検出する姿勢検出部２５ａを備える。姿勢検出部２５ａは、図２９に示すように、カメラ本体３の底部に配設されており、デジタルカメラ１ａに固定されたローカル座標軸（図９を参照）に対する重力の方向を姿勢情報として出力する。上記したように、このローカル座標軸はカメラ本体３の姿勢とは無関係であり、この姿勢検出部２５ａによって、外部機器９との間で通信が確立したときのカメラ本体３の姿勢を検出する。
【００９９】
図３０は、図４に示した基準姿勢とは別のカメラ本体３の姿勢の一例を示す図であり、図４に示す状態とカメラ本体３の上下を逆にしてデジタルカメラ１ａを保持した様子を示している。上記した実施の形態では、外部機器９との間で通信が確立した際のカメラ本体３の姿勢が、図４に示す基準姿勢であることを前提としてカメラ本体３の変位を検出することとした。しかしながら、実際に通信確立時のカメラ本体３の姿勢が図４に示す基準姿勢なのか、図３０に示すような基準姿勢とは別の姿勢なのかを判別できないという問題があった。
【０１００】
本変形例３では、図２８の制御部２１ａの送信制御部２１３ａが、姿勢検出部２５ａから出力される姿勢情報をもとに、外部機器９との間で通信が確立したときのカメラ本体３の姿勢が基準姿勢か否かを判定する。すなわち、カメラ本体３の底面側を下に向けた姿勢の場合に基準姿勢と判定し、基準姿勢でなければデータの送受信を行わない。一方、通信確立時のカメラ本体３の姿勢を基準姿勢と判定した場合には、例えば図５に示したカメラ本体３の右から左へとスライドされた変位を送信指示として検出し、図６に示したカメラ本体３の左から右へとスライドされた変位を受信指示として検出する。
【０１０１】
この変形例３によれば、カメラ本体３の上下左右方向の姿勢を規定することができる。したがって、通信が確立されたときのカメラ本体３の姿勢が基準姿勢の場合にのみデータの送受信を行うことができるので、データの送受信を確実に切り換えて行うことができる。
【０１０２】
（変形例４）
また、上記した実施の形態では、外部機器９をノートパソコンとして例示したが、例えばテレビを外部機器とすることとしてもよい。図３１は、デジタルカメラ１ａとテレビ９ｂとが通信を行う様子を側面側から示した説明図である。図３１に示すように、テレビ９ｂの近接通信部９６ｂは、表示部９２ｂが配設される前面にアンテナが配置されるように設けられている。そして、この近接通信部９６ｂとデジタルカメラ１ａの近接通信部１９とが互いに通信可能圏内に近接されると、デジタルカメラ１ａとテレビ９ｂとの間で通信が確立される。したがって、デジタルカメラ１ａの表示部１５が見える状態で、かつテレビ９ｂの表示部９２ｂも見える状態で通信が行える。
【０１０３】
このデジタルカメラ１ａは、変形例４で説明したように、カメラ本体３の底部に設けられた姿勢検出部２５ａによってデジタルカメラ１ａに固定されたローカル座標軸のＹ軸方向に対する重力の方向を検出し、通信確立時の基準姿勢を判定する。そして、例えば上記した実施の形態と同様に、テレビ９ｂの前面に向かって右から左へとカメラ本体３を横にスライドさせると、デジタルカメラ１ａからテレビ９ｂへとデータが送信され、デジタルカメラ１ａで撮影された静止画データや動画データ等をテレビ９ｂで再生・鑑賞できるようになる。また、テレビ９ｂの前面に向かって左から右へとカメラ本体３を横にスライドさせると、テレビ９ｂから送信されたデータを受信する。
【０１０４】
（変形例５）
上記した実施の形態では、加速度センサや角速度センサ等の変位検出部１３によってカメラ本体３の変位を検出し、データの送信指示および送信指示を検出することとしたが、画像処理によってカメラ本体３の変位を検出するようにしてもよい。図３２は、この場合のデジタルカメラ１ｃの主要内部構成の一例を示すブロック図である。なお、図３２において、上記した実施の形態と同様の構成には同一の符号を付している。この変形例５のデジタルカメラ１ｃは、図８の変位検出部１３にかえて画像変化検出部２７ｃを備える。
【０１０５】
画像変化検出部２７ｃは、撮像部１１から出力される画像データをもとにフレーム間の動きを検出するためのものであり、１フレーム毎に撮像部１１によって取り込まれる各ライブビュー画像に映る同一の被写体位置の変化量を表す動きベクトルを算出する。そして、本変形例５では、制御部２１ｃは、画像変化検出部２７ｃによって算出された動きベクトルをもとにカメラ本体３の移動方向を判定することで、図５に示したカメラ本体３の右から左へと平行移動された変位や図６に示したカメラ本体３の左から右へと平行移動された変位を検出する。この変形例５によれば、角速度センサや加速度センサを備えないデジタルカメラであっても、新たな構成を追加することなくデータの送信指示及び受信指示を検出することができる。
【０１０６】
（他の変形例）
また、上記した実施の形態では、図５に示したカメラ本体３の右から左へと平行移動された変位を送信指示とし、図６に示したカメラ本体３の左から右へと平行移動された変位を受信指示とする場合について説明したが、これに限定されるものではない。例えば、カメラ本体３の傾き等を組み合わせた送信指示や受信指示を定義しておくこととしてもよく、より確実にデータの送受信の切り換えを行うことができる。
【０１０７】
また、上記した実施の形態のデジタルカメラ１は、外部機器９との通信が確立した際、送信指示に応じて外部機器９にデータを送信し、受信指示に応じて外部機器９から送信されたデータの受信を行うこととしたが、特定の外部機器とのみ通信を行うようにしてもよい。この場合には、予めデジタルカメラおよび外部機器において送受信する相手を登録しておく。そして、通信が確立した相手が登録されている場合には送受信を行い、登録されていない場合には、送受信を行わない。
【０１０８】
また、上記した実施の形態では、ユーザが所有するＰＣやテレビ等の外部機器と近接無線通信を行ってコンテンツデータを受信することとしたが、これに限定されない。例えば、インターネット等に接続するために街中の各所に設置された無線ＬＡＮのアクセスポイントからコンテンツデータを受信することとしてもよい。例えば、観光地に設置されるアクセスポイントでデジタルカメラ１を動かして受信指示を行うことにより、周辺地図や観光情報等をコンテンツデータとして受信し、デジタルカメラで閲覧するといったことが可能となる。
【０１０９】
また、上記した実施の形態のデジタルカメラ１において、さらに、撮像部１１から出力された画像中の顔の領域を検出する顔検出部を設けるようにしてもよい。そして、この顔検出部による顔領域の検出結果をもとに顔の位置を特定し、特定した顔の位置をピント合わせや露出の制御に用いるようにしてもよい。また、顔検出部による顔領域の検出結果をもとに、顔の位置や大きさに応じて動画撮影時における音の集音範囲を可変に設定することとしてもよい。
【０１１０】
また、上記した実施の形態では、デジタルカメラ１に起動部２０を設けた場合について説明したが、外部機器に起動部を設けることとしてもよい。そして、デジタルカメラから通信信号を定期的に送出することとし、この通信信号を受信したときに外部機器が起動される構成としてもよい。
【０１１１】
また、上記した実施の形態では、撮影データを送信するカメラの例としてデジタルカメラについて説明したが、カメラに限らず、例えば携帯電話機やゲーム機、ノートパソコン、携帯型の音楽プレーヤ等、所定のデータを記録しておくものであって、このデータを他の機器との間で送受が可能な携帯端末に適用できる。例えば、携帯端末の一例である携帯型の音楽プレーヤにおいて、外部機器に対して音楽データを送信する場合に適用可能である。また、携帯型の音楽プレーヤにおいて、外部機器に対し、音楽データと併せて例えばＣＤジャケットの画像データといったその音楽データに関連付けられたデータを送信する場合にも、同様に適用可能である。
【０１１２】
また、上記した実施の形態では、デジタルカメラから外部機器に対して撮影データを送信する場合について説明したが、外部機器から送信された所定のコンテンツデータをデジタルカメラで受信する場合にも同様に適用できる。
【図面の簡単な説明】
【０１１３】
【図１】デジタルカメラの前面側を示す概略斜視図である。
【図２】デジタルカメラの背面側を示す概略斜視図である。
【図３】デジタルカメラと外部機器とが通信を行う様子を側面側から示した説明図である。
【図４】通信時のカメラ本体の基準姿勢を示す図である。
【図５】外部機器に対するデータの送信指示を説明する説明図である。
【図６】外部機器からのデータの受信指示を説明する説明図である。
【図７】データの送信指示を検出した場合のデジタルカメラの画面遷移例を示す図である。
【図８】デジタルカメラおよび外部機器の主要内部構成の一例を示すブロック図である。
【図９】変位検出部によるカメラ本体の変位検出を説明するための図である。
【図１０】加速度センサを用いたカメラ本体の移動量の検出原理の一例を説明する図である。
【図１１−１】加速度センサを用いたカメラ本体の移動量の検出原理を説明する他の図である。
【図１１−２】加速度センサを用いたカメラ本体の移動量の検出原理を説明する他の図である。
【図１１−３】加速度センサを用いたカメラ本体の移動量の検出原理を説明する他の図である。
【図１２】角速度センサを用いたカメラ本体の回転量の検出原理を説明する図である。
【図１３】角速度センサを用いたカメラ本体の回転量の検出原理を説明する他の図である。
【図１４】タッチパネルの検出原理を説明する図である。
【図１５】タッチパネルの検出原理を説明する他の図である。
【図１６】送受信処理の手順を示すフローチャートである。
【図１７】データ送信処理の手順を示すフローチャートである。
【図１８】データ受信処理の手順を示すフローチャートである。
【図１９】デジタルカメラが行う基本処理の手順を示すフローチャートである。
【図２０】外部機器が行う基本処理の手順を示すフローチャートである。
【図２１】デジタルカメラの画面遷移の変形例を示す図である。
【図２２】デジタルカメラの画面遷移の他の変形例を示す図である。
【図２３】デジタルカメラの画面遷移の他の変形例を示す図である。
【図２４】データ送信処理の手順の変形例を示すフローチャートである。
【図２５】送信対象再設定処理の手順を示すフローチャートである。
【図２６】デジタルカメラの画面遷移の他の変形例を示す図である。
【図２７】送信対象再設定処理の手順の変形例を示すフローチャートである。
【図２８】デジタルカメラの主要内部構成の変形例を示すブロック図である。
【図２９】変形例のデジタルカメラと外部機器とが通信を行う様子を側面側から示した説明図である。
【図３０】基準姿勢とは別のカメラ本体の姿勢の一例を示す図である。
【図３１】デジタルカメラとテレビとが通信を行う様子を側面側から示した説明図である。
【図３２】デジタルカメラの主要内部構成の他の変形例を示すブロック図である。
【符号の説明】
【０１１４】
１      デジタルカメラ
３      カメラ本体
４      撮像レンズ
５      レリーズスイッチ
７      ボタンスイッチ
８      グリップ部
１１      撮像部
１２      画像処理部
１３      変位検出部
１４      操作部
１５      表示部
１６      タッチパネル
１７      記録部
１８      時計部
１９      近接通信部
２０      起動部
２１      制御部
２１１      画像移動表示制御部
２１３      送信制御部
９      外部機器
９１      操作部
９２      表示部
９３      通信部
９４      放送受信部
９５      記録部
９６      近接通信部
９７      制御部
【図１】
2010045682.tif 000003
【図２】
2010045682.tif 000004
【図３】
2010045682.tif 000005
【図４】
2010045682.tif 000006
【図５】
2010045682.tif 000007
【図６】
2010045682.tif 000008
【図７】
2010045682.tif 000009
【図８】
2010045682.tif 000010
【図９】
2010045682.tif 000011
【図１０】
2010045682.tif 000012
【図１１−１】
2010045682.tif 000013
【図１１−２】
2010045682.tif 000014
【図１１−３】
2010045682.tif 000015
【図１２】
2010045682.tif 000016
【図１３】
2010045682.tif 000017
【図１４】
2010045682.tif 000018
【図１５】
2010045682.tif 000019
【図１６】
2010045682.tif 000020
【図１７】
2010045682.tif 000021
【図１８】
2010045682.tif 000022
【図１９】
2010045682.tif 000023
【図２０】
2010045682.tif 000024
【図２１】
2010045682.tif 000025
【図２２】
2010045682.tif 000026
【図２３】
2010045682.tif 000027
【図２４】
2010045682.tif 000028
【図２５】
2010045682.tif 000029
【図２６】
2010045682.tif 000030
【図２７】
2010045682.tif 000031
【図２８】
2010045682.tif 000032
【図２９】
2010045682.tif 000033
【図３０】
2010045682.tif 000034
【図３１】
2010045682.tif 000035
【図３２】
2010045682.tif 000036